(57)【特許請求の範囲】
【請求項１】
第１の縁部（７ａ）から反対側の第２の縁部（７ｂ）に至る少なくとも１つの往復する傾斜運動を受けるように構成されている、構造体に設けられたエネルギー生成装置であって、
−  ブレードを有している少なくとも１つの第１のタービン（１１ａ）および少なくとも１つの第２のタービン（１１ｂ）と、
−  第１の側部タンク（１５ａ）および第２の側部タンク（１５ｂ）と、
−  前記第１の側部タンク（１５ａ）と前記第２の側部タンク（１５ｂ）との間において中間チャンバ（１７）の長手方向中心軸線に沿って延在している少なくとも１つの前記中間チャンバ（１７、１７０ａ、１７０ｂ）であって、前記第１の側部タンク（１５ａ）および前記第２の側部タンク（１５ｂ）それぞれが、液体（１８）の流入と排出を管理するように少なくとも１つの前記中間チャンバ（１７、１７０ａ、１７０ｂ）と連通しており、前記第１の側部タンク（１５ａ）および前記第２の側部タンク（１５ｂ）が、液体が前記長手方向中心軸線に対して平行に前記第１の側部タンク（１５ａ）および前記第２の側部タンク（１５ｂ）の内部に受容されるように、前記中間チャンバ（１７、１７０ａ、１７０ｂ）の２つの末端に向かって配置されており、前記第１の側部タンク（１５ａ）および前記第２の側部タンク（１５ｂ）それぞれが、外部から自身を区切る壁（１９）を含んでいる、少なくとも１つの前記中間チャンバ（１７、１７０ａ、１７０ｂ）と、
を備えている前記エネルギー生成装置において、
−  前記第１のタービン（１１ａ）および第２のタービン（１１ｂ）がそれぞれ、前記エネルギー生成装置が水平であると考えられる状態において垂直軸線（１１０ａ、１１０ｂ）を有しており、
−  少なくとも１つの前記中間チャンバ（１７、１７０ａ、１７０ｂ）が、前記第１の縁部（７ａ）および前記第２の縁部（７ｂ）それぞれに位置決めされた前記第１の側部タンク（１５ａ）および前記第２の側部タンク（１５ｂ）それぞれの内部に位置決めされている、前記第１のタービンと前記第２のタービンとの間に延在しており、
−  前記第１の側部タンクおよび第２の側部タンク（１５ａ、１５ｂ）が、前記中間チャンバの前記長手方向中心軸線（１７ａ、１７ａ１、１７ｂ１）に沿って位置決めされており、前記第１のタービンおよび前記第２のタービンそれぞれが、前記第１の側部タンクおよび第２の側部タンク（１５ａ、１５ｂ）に収容されており、これにより、液体が、前記第１のタービン（１１ａ）および前記第２のタービン（１１ｂ）のうち一方のタービンの周辺部において前記一方のタービンの内部に受容された後に、液体を前記中間チャンバ（１７、１７０ａ、１７０ｂ）に向けて誘導するように前記一方のタービンの下方に配置された逃がしチャネルを通じて流れることを特徴とする装置。
【請求項２】
前記中間チャンバから隔てるものとして、各々の側部タンクの前記壁（１９）がベンチュリを提示する、請求項１に記載の装置。
【請求項３】
前記第１および第２のタービンが一方向の回転方向（４５）を有し、対向する側面が前記液体の流れに面してそれぞれ凹面と凸面である、請求項２に記載の装置。
【請求項４】
各々の側部タンクが、
−  液体を供給する前記中間チャンバの前記長手方向中心軸線（１７ａ、１７ａ１、１７ｂ１）に沿って前記液体を受け取るように、前記第１および第２のタービンが中に配置される上部セクション（１５０ａ、１５０ｂ）と、
−  前記上部セクションと連通する下部セクション（１５２ａ、１５２ｂ）とを備え、前記上部および下部セクションの各々が、前記液体の入口および出口用に１つまたは複数の前記中間チャンバと連通する、請求項１に記載の装置。
【請求項５】
少なくとも１つの前記中間チャンバにおいて、液体が、前記長手方向中心軸線に沿っていずれの向きにも循環可能とされる、請求項１から４のいずれか一項に記載の装置。
【請求項６】
−  前記中間チャンバが、自由面を有する液体（１８）によって部分的に満たされ、
−  前記中間チャンバ（１７）において前記第１のタービンと第２のタービンの間に中間の仕切り（３５）を含み、これが前記タービンの間で前記液体を循環させるために第１および第２の管（３７ａ、３７ｂ）に分割し、各々の側部タンクが、
−  前記液体の前記タンクへの入口用に、上部セクションにおいてタンクの壁を通る第１の通路を有し、
−  前記液体の前記タンクからの出口用に、下部セクションにおいて前記タンクの側壁を通る第２の通路を有する前記２つの管と連通する、請求項１から４のいずれか一項に記載の装置。
【請求項７】
対応する側部タンク（１５ａ、１５ｂ）の上部セクションと前記中間チャンバの間の各々の連通部分が、前記中間チャンバ（１７、１７０ａ、１７０ｂ）によって運ばれる前記液体が基本的に接線方向に前記側部タンクに進入し、およびこれによりそこに配置された対応するタービン（１１ａ、１１ｂ）に到達するように位置決めされる、請求項４に、あるいは請求項５または６の一項と組み合わせた請求項４に記載の装置。
【請求項８】
前記側部タンクの前記下部セクション（１５２ａ、１５２ｂ）と前記中間チャンバの間の連通部分に逆止弁（３１ａ、３１ｂ）が装備されている、請求項４に、あるいは請求項５から７の一項と組み合わせた請求項４に記載の装置。
【請求項９】
−  各々の側部タンクの前記上部および下部セクション（１５０ａ、１５０ｂ、１５２ａ、１５２ｂ）が、変形可能な隔壁を含むことが可能な流れ口（２１ａ、２１ｂ）を利用して互いに連通する、ならびに／あるいは
−  各々の側部タンクの前記上部および下部セクション（１５０ａ、１５０ｂ、１５２ａ、１５２ｂ）が、その下にディフューザ（３３、３３ｂ）が配置された流れ口（２１ａ、２１ｂ）を利用して互いに連通し、このディフューザは、前記下部セクションにおいて、流通する液体を案内するために、前記下部セクションから前記中間チャンバまでの対応する液体出口連通部分の方に向けられた開口を有する側壁を備える、請求項４に、あるいは請求項５から７の一項と組み合わせた請求項４に記載の装置。
【請求項１０】
付加的なガス状流体回路（４０）が、前記第１および第２の側部タンク（１５ａ、１５ｂ）を接続する、請求項１から９のいずれか一項に記載の装置。
【請求項１１】
対応する側部タンクを外部から区切る各々の壁（１９）が、対応するタービンの周りにコイル状に巻き付けられる、請求項４に、あるいは請求項５から１０の一項と組み合わせた請求項４に記載の装置。
【請求項１２】
第１の縁部（７ａ）から反対側の第２の縁部（７ｂ）に至る少なくとも１つの傾斜運動を受けるための構造体のエネルギー生成プロセスにおいて、
前記構造体上で、中間チャンバ（１７、１７０ａ、１７０ｂ）の長手方向中心軸線（１７ａ、１７ａ１、１７ｂ１）を中心として配設された少なくとも１つの細長い前記中間チャンバ（１７、１７０ａ、１７０ｂ）において、液体が、前記第１の縁部（７ａ）および前記第２の縁部（７ｂ）それぞれに配設された第１の側部タンクおよび第２の側部タンクに向かって、第１のタービン（１１ａ）および第２のタービン（１１ｂ）へと循環され、これにより、液体が、入口チャネル（２３ａ，２３ｂ）それぞれを介して、前記長手方向中心軸線に対して平行に第１のタービン（１１ａ）および第２のタービン（１１ｂ）に受容され、
−  前記第１および第２のタービンのそれぞれは、前記構造体が静止する場合に、垂直軸を有し、
−  前記第１および第２のタービンは、第１および第２の側部タンクにおいて、いずれかの縁部（７ａ、７ｂ）にそれぞれ位置決めされ、
−  前記第１の側部タンクおよび第２の側部タンク（１５ａ、１５ｂ）が、前記中間チャンバの前記長手方向中心軸線（１７ａ、１７ａ１、１７ｂ１）に沿って位置決めされており、前記第１のタービンおよび前記第２のタービンそれぞれが、前記第１の側部タンクおよび第２の側部タンク（１５ａ、１５ｂ）に収容されており、
−  液体が、前記第１のタービン（１１ａ）および前記第２のタービン（１１ｂ）のうち一方のタービンの周辺部において前記一方のタービンの内部に受容された後に、前記一方のタービンの中心に導かれることを特徴とする、エネルギー生成プロセス。
【請求項１３】
−  各々のタービンが、前記中間チャンバがその長手方向中心軸線に一致するように提示する末端の一方に向けて配置された前記側部タンク（１５ａ、１５ｂ）の上部セクションにおいて作動し、
−  前記上部セクションに収容された前記液体が、前記側部タンクの前記上部セクションを下部セクション（１５２ａ、１５２ｂ）から隔てる流れ口（２１ａ、２１ｂ）を介して排出され、前記構造体の運動が前記液体を他方のタービンに向けて誘導するのに先立って、前記液体（１８）は下部セクションを通って前記タービンの下に進む、請求項１２に記載のプロセス。
【請求項１４】
−  各々の側部タンク（１５ａ、１５ｂ）の入口において、前記液体は前記長手方向中心軸線に平行してベンチュリ（４１ａ、４１ｂ）を通過し、
−  一方の側から他方の側に傾斜する際、前記液体は、前記タービンを通って前記長手方向中心軸線に、およびその後反対方向に前記ベンチュリを通過する、請求項１２に記載のプロセス。
【請求項１５】
水平軸を中心に振動することが可能であり、請求項１から１１のいずれか一項に記載のエネルギー生成装置（３）を備える、または請求項１２から１４のいずれか一項に記載のプロセスにしたがって電気エネルギーがそこで生成される構造体（１）であって、
少なくとも１つの前記中間チャンバにおいて、液体が、前記長手方向中心軸線に沿っていずれの向きにも循環可能とされることを特徴とする構造体（１）。
【発明の詳細な説明】
【技術分野】
【０００１】
本発明は、第１の縁部から反対側の第２の縁部までの少なくとも１つの往復する傾斜運動を受けるように設計された構造体上にあるエネルギー生成装置に関する。
【背景技術】
【０００２】
この分野では、および水上船において、特許文献１はすでに
−  共に第１および第２の縁部にそれぞれ位置決めされた少なくとも１つの第１のタービンおよび少なくとも１つの第２のタービンと、
−  第１のタービンと第２のタービンの間の少なくとも１つの中間チャンバと、
−  各々が第１のタービンと第２のタービンの一方を含み、液体の流入と排出を管理するために中間チャンバと連通する第１の側部タンクおよび第２の側部タンクであって、各々が、それらを外部から区切り、好ましくは第１および第２の縁部それぞれに向かって中間チャンバの２つの末端に向かって配置された壁を含む第１の側部タンクおよび第２の側部タンクとを備えるそのような装置を提案している。
【先行技術文献】
【特許文献】
【０００３】
【特許文献１】欧州特許出願公開第００５９６５２号明細書
【発明の概要】
【課題を解決するための手段】
【０００４】
持続する圧力損失、性能および／または比較的複雑な構造問題のうちの少なくとも一部を克服するために、以下の
−  装置が水平であると考えられる状態で第１および第２のタービンが垂直軸を有することと、
−  第１および第２の側部タンクならびに第１および第２のタービンが、中間チャンバの伸長方向に沿って位置決めされることで、液体をこのように位置合わせされた状態で受け取ることとが提案される。
【０００５】
よって、タービンが、第１および第２の縁部に向けて、中間チャンバの伸長方向の伸長部において液体を受け取る構造体の中に位置決めされることにより、圧力を生成するタービンが液体を受け取る直前のタービンのための供給流体の方向における湾曲または顕著な変化を回避する。
【０００６】
装置が水平であると仮定されると、側部タンクおよびタービンは、中間チャンバの伸長方向の実質的な水平方向の伸長部に位置決めされる。
【０００７】
第１の実施形態において、装置は、振動減衰装置を装備した構造体に設置されることが推奨され、そうでなければ効率が不十分であるとみなされる、あるいはそこに電気エネルギー生成モジュールを加えることを必要とする場合もある。
【０００８】
このとき、特定の選択として以下の（但し以下の解決法は排他的ではない）
−  中間チャンバから隔てるものとして、各々の側部タンクの壁（外部の境界）がベンチュリを提示すること、または
−  好ましくは第１および第２のタービンが一方向の回転方向を有し、対向する側面が前記液体の流れに面してそれぞれ凹面と凸面であることが提案される。
【０００９】
このベンチュリは側部タンクの入口において流れを加速し、これは、タービンがベンチュリのリップの間に配置された場合、エネルギー生成にとってなお一層有益となる。
【００１０】
またタービンがそのようなブレードを装備する場合、ＳＡＶＯＮＩＵＳタービンとほぼ同一のタービンを設置することができる。
【００１１】
実際には、振動減衰装置は、可動式または固定式のシャッターを備え、上記の解決法は、「まさにこの」シャッターをベンチュリと取り替えることを可能にし、かつ好ましくは、タービンに関して、それらを良好な位置に「正に」配置するおよび／または最適な模範を選ぶことを可能にすることができる。
【００１２】
具体的には、振動減衰装置を装備しない構造体では、別の解決法を利用することが可能であり、この場合各々の側部タンクは、
−  液体を供給する中間チャンバの伸長方向に沿って液体を受け取るように、第１および第２のタービンの一方が中に配置される上部セクションと、
−  上部セクションに接続する下部セクションとを備え、上部および下部セクションの各々が、液体の入口および出口用に１つまたは複数の中間チャンバに接続される。
【００１３】
以下において（図５、図６に沿って）、側部タンク１５ａと１５ｂの間に水圧管内での流体の循環のために２つのチャネル１７０ａ、１７０ｂを備えた最低でも１つの入口の水圧管解決法が提案される。これはタービンへの供給を促進し、これによりタービンは強制的に作動される。
【００１４】
しかしながら自由面が（部分的に）液体で満たされた中間チャンバを使用することは、そのＧ−ＳＩＲＥまたはＩ−ＳＩＲＥ要素を介する「ＦＬＵＭＥ」横揺れ減衰技術の使用を可能にする。
【００１５】
時には風またはうねりによって妨害される運動によってほとんど影響を受けない効率的な液体供給を促進することを目指して、中間チャンバにおいて、第１のタービンと第２のタービンの間で（少なくとも１つの）仕切りを使用することも提案されており、これはタービン間においてこのような液体のための第１および第２の循環管に分割し、各々の側部タンクは、
−  前記液体のタンク内への入口用に、上部セクションにおいてタンクの壁を通る第１の通路を有し、
−  前記液体のタンクからの出口用に、下部セクションにおいてタンクの壁を通る第２の通路を有する２つの管と連通する。
【００１６】
一方向における流れ、および別方向における流れに対する妨害を制限するために、側部タンクの下部セクションと中間チャンバの間の連通部分に関して逆止弁を備えることが好ましい場合がある。
【００１７】
このような連通部分がそういった弁を装備することは、上記に挙げた中間の仕切りが存在しない場合、側部タンクの上部および下部セクションと中間チャンバの間の全ての連通部分が、区切られていないチャンバ内で開放し、移動中の大量の液体の間で起こり得る流れの妨害がより重大なものになると仮定すると、より意味を成すことができる。
【００１８】
一方向の傾斜（例えば第１の縁部から第２の縁部への横揺れ）から液体の流れを受け取る（各々の）タービンに供給する液体の量もまた重要な点であり得る。
【００１９】
この目的のために、各々の側部タンクの上部および下部セクションは流れ口を介して互いに連通することが推奨される。
【００２０】
関連する側部タンクの体積、循環する水の体積、往復する傾斜運動の推測される平均的な条件に基づいた、このような流れ口に対する通路セクションの事前形成が適用されるはずであり、タービンは最良の性能を達成することを可能にする。
【００２１】
しかしながら、各々の側部タンクの上部セクションからの液体の流れを正確に調整するために、好ましくは考慮されるタービンの性能に基づいて流れ口の通路の断面を変えることが推奨される。
【００２２】
この目的のために変形可能な隔壁を利用することは、この目的を容易にかつ確実に達成する助けをする。
【００２３】
タービンを考慮すると、上部および下部セクションを備えた側部タンクが設けられた場合、構造体が静止する際、垂直軸式翼車を使用することができる。反動タービンが推奨される。好ましくは、「Ｆｒａｎｃｉｓ」タービンにできるだけ近いタービンが使用され、この場合、エンジン液体は翼車周辺部に到達し、このエンジン液体によってブレードを押し、その後タービンの下に配置された逃がしチャネルを通って流れる。
【００２４】
これにしたがって、対応する側部タンクの上部セクションと中間チャンバの間の各々の連通部分は、中間チャンバによって第１および第２のタービンの一方に向けて運ばれる液体が接線方向に前記側部タンクに流れ込むことにより、前記側部タンク内に配置された対応するタービンに到達するように位置決めされることが推奨される。
【００２５】
そのような配置は、特許文献１（図８および図９）におけるプロペラと水平方向軸のタービンよりも、このような状況により適切に適合する。
【００２６】
別の問題は、タービンの下に配置されたチャネルを介する液体の排出に関連する。
【００２７】
タービンの性能に対して特定の影響を有するこのような排水を促進するために、各々の側部タンクの下部セクションが、この下部セクションから中間チャンバへの対応する液体出口に向かって液体を誘導する開口の下に配置された湾曲したディフューザを含むことが推奨される。
【００２８】
これは負荷の損失、および液体の循環／迅速な排出に好ましくない事柄を制限することになる。
【００２９】
性能を高めるために、第１の側部タンクと第２の側部タンクを接続する付加的なガス状流体回路の利用も提案される。中間チャンバは自由面を有するが、付加的な回路とこの自由面より上に存在する気体は連通していない。
【００３０】
装置が傾くことで、片側に水を集め、ガス状流体を反対方向に移動させることになる。このようなガス状流体の移動は、持ち上がっている縁部の側で液体自体をなくす過圧を生じるような働きをし、これは弁より先または弁なしである。
【００３１】
提示される装置に加えて、一方の縁部から他方の縁部までの少なくとも１つの傾斜運動を受ける構造体上でのエネルギー生成プロセスにも関係しており、これは構造体上で、伸長方向の中心に位置する少なくとも１つの細長い中間チャンバにおいて、液体が、第１および第２の側部タンクにおいて、いずれかの縁部にそれぞれ位置決めされた第１および第２のタービンに対して循環され、これらのタービンは、中間チャンバの伸長方向に沿ってそれぞれ配置された入口チャネルによって供給されることによって特徴付けられる。
【００３２】
さらに、水平方向を中心として振動することが可能であり、その特徴の全てまたは一部において上記に挙げたエネルギー生成装置を備える構造体、あるいは上記のプロセスにしたがって電気エネルギーがそこで生成される構造体に関する。
【００３３】
本発明の他の利点および特徴は、添付の図面に関連して、厳密な非制限的な例として提供される以下の記載を読むことから明らかになるであろう。
【図面の簡単な説明】
【００３４】
【図１】エネルギー生成装置を装備した船の船尾の一部から取り出した部分斜視図である。
【図２】そのタービンを備えた、図１からの側部タンクの一方の下からの、傾けられた図である。
【図３】上からみた先の一般的な解決法を示す図である。
【図４】横から見た追加のガス状流体回路を有する解決法を示す図である。
【図５】上から見た別の２つのチャネルの選択肢を示す図である。
【図６】横から見た別の２つのチャネルの選択肢を示す図である。
【図７】軸方向の中間の壁を有する別の選択肢を示す側面図である。
【図８】軸方向の中間の壁を有する別の選択肢を上から見た図である。
【図９】角度を成して傾けられた壁を有する別の選択肢を上から見た図である。
【図１０】別の選択肢のＸ−Ｘによる垂直方向の中央の断面図である。
【図１１】別の選択肢を横から見た図である。
【図１２】ここでは側部タンクの一方の位置での別の選択肢を上から見た図である。
【図１３】ここでは側部タンクの一方の位置での別の選択肢を横から見た図である。
【発明を実施するための形態】
【００３５】
図１は、電気エネルギー生成装置３を装備した水上船１（の後部部分の領域）を示す。
【００３６】
この船は方向５において前方に移動するように適合されており、典型的には波および／またはうねりの影響の下で、一方の縁部７ａから反対側の第２の縁部７ｂまでの少なくとも１つの傾斜運動を受けるように設計された構造体の一例である。別の構造体が容認される場合もある。
【００３７】
船１は、船体９と、船橋１１とを備える。
【００３８】
装置３は、この構造体上に、第１の縁部および第２の縁部にそれぞれ位置決めされた第１および第２のタービン１１ａ、１１ｂを備える。各々タービンは、発電機として作動する交流発電機１３ａ、１３ｂに接続される。好ましくはタービンは、それらが常に一方向の同一方向に回転するように設置される。
【００３９】
装置３はまた、各々が第１および第２のタービンの一方を備え、中間チャンバ１７と連通する第１および第２の側部タンク１５ａ、１５ｂを含む。これらの側部タンクは、第１および第２の縁部７ａ、７ｂそれぞれに向かって、中間チャンバの２つの末端に向けて据えられる。それらは各々、外部からそれらを区切る周辺壁１９を備える。
【００４０】
タンクおよびチャンバは、平坦な底面１７１を有する。
【００４１】
中間チャンバ１７は、自由面を有する液体１８によって部分的に満たされ、この液体は、慣性効果より恩恵を受ける水、ガソリンまたはディーゼルなどの燃料、あるいはより高濃度の液体であってよい。中間チャンバ１７は、構造体が静止している場合に、第１のタービンと第２のタービンの間で説明図において水平の方向１７ａにおいて細長くなっている。この場合、側部タンクもまた好ましくは自由面を有する。
【００４２】
この実施形態において、および好ましくは同様に図３から図９に沿って、各々の側部タンクは、性能を高め、実際の構造および小型化を改善するために（具体的には図１、図６、図７を参照）、
−  第１および第２のタービン１１ａ、１１ｂの一方が中に配置される上部セクション１５０ａ、１５０ｂと、
−  上部セクションに接続する下部セクション１５２ａ、１５２ｂであって、上部および下部セクションの各々が連通部分２３ａ、２３ｂおよび２５ａ、２５ｂをそれぞれ、液体の入口用および出口用として中間チャンバ１７に接続することを提案する。
【００４３】
第１および第２のタービン１１ａ、１１ｂの各々は、上部セクション１５０ａ、１５０ｂが中間チャンバの伸長方向１７ａに沿って、すなわち矢印２０で（図１、図３、図７、図８を参照されたい）液体１８（とりわけ混ざり合ったラインに関しては図７に示される高さを参照）を受け取るように、対応する上部セクション１５０ａ、１５０ｂ内に位置決めされる。実際には、図１でのように入口チャネル２３ａ、２３ｂは、中間チャンバの伸長方向（軸）１７ａに沿って、またはそれに対して軸方向に伸長させてそれぞれ位置決めされることが推奨される。構造体１がそれを中心に振動する水平軸１７３は（図１０に顕著である）、方向１７ａに平行である。タービンは、ここではコイルを介して接線方向に供給される。
【００４４】
よって示されるように、対応する側部タンクの上部セクション１５０ａまたは１５０ｂと中間チャンバ１７の間の各々の連通部分は、第１および第２のタービン１１ａ、１１ｂの一方に向けて中間チャンバによって運ばれる液体が、接線方向にかつ周辺部から前記側部タンクに侵入し（タンクの一方に関して図３、図５、図８の矢印２７）、それにしたがって対応するタービンに到達するように位置決めされる。
【００４５】
連通部分２３ａ、２３ｂおよび２５ａ、２５ｂは好ましくは、上部セクションに関するタービンの高さにおいて、および下部セクションに関するこれらのタービン（構造体１は水平であると仮定される）の高さの下で、各々の壁１９の中の開口または通路（同じように番号付けされる）によって画定される。示されるように、性能に関して、頂部連通部分２３ａ、２３ｂは、外側に向かって横方向にずらされ、これにより図８において頂部開口または連通部分２３ａのほぼ境界を成す１９１などの中間チャンバ１７の側壁により近づけて位置決めされるのに対して、底部連通部分２５ａ、２５ｂは、内側に向かって横方向にずらされており、これにより軸１７ａにより近づけて位置決めされることで、ここでは上部セクション１５０ｂと下部セクション１５２ｂの間の図７にある関連する連通部分２１ｂの軸方向／中心位置に横方向に接近するようになることが推奨される。
【００４６】
連通部分２１ａ、２１ｂは、関連する上部および下部セクション１５０ａ、１５０ｂ、１５２ａ、１５２ｂそれぞれを隔てる完全な壁２８において各々画定される。
【００４７】
頂部からのこのような供給、好ましくは接線方向の各々のタービンからの供給を底部からの排出と組み合わせることで、各々の第１および第２のタービン１１ａ、１１ｂは好ましくは、この例では、構造体１が静止する際、垂直軸１１０ａ、１１０ｂをそれぞれ提示するブレード付きタービンとなる。
【００４８】
実際には、連通部分２１ａ、２１ｂが、各々の側部タンクの上部セクションと下部セクションの間の流れ口を各々画定することも推奨される。
【００４９】
当然のことながら、各々の流れ口２１ａ、２１ｂは、平均的な作動条件に適合した所定の断面を提示することができる。しかしながら図７の流れ口２１ａのためのもの２１０ａなど変形可能な隔壁が使用されるべきである。したがって各々の流れ口は、弾性式の変形を利用する膜またはプレートによって画定されてよい、あるいはこの場所に関連するタービンを出て行く流体の移動を監視するまたはそれに適合する機構によって制御される場合もある。よって関連する流れ口の通路断面を変更することによって、各々の側部タンク１５ａ、１５ｂの上部セクションからの液体の供給の調整が促進される。ガス状流体を利用してまたは流体の圧力下である程度満たすことが可能な膨張および収縮可能な環状ポケットを使用することが望ましい。
【００５０】
圧力損失をさらにもっと抑えるために、第１および第２の側部タンク１５ａ、１５ｂは、円筒形または半円筒形であってよく、あるいはさらには好ましくは垂直軸においてコイル状に（図１、２、３、５）巻かれて静止中の構造体１を支える場合もある。
【００５１】
側部タンクの上部セクションと中間チャンバ１７の間の連通部分のために逆止弁２９ａ、２９ｂを利用することは任意選択であるが、側部タンクの下部セクションと中間チャンバの間の下部の連通部分２５ａ、２５ｂのためにそれら（３１ａ、３１ｂを参照）を有することは有益である。全ての逆止弁が主要な液体の流れの方向において開放し（構造体が一方向に傾斜する際）、全ての液体がそうしている間にこの領域から流れ出て行かなければ、反対方向では閉鎖することで逆流を回避する、または制限することを理解されたい。実際には、自由に傾斜するシャッターが好ましい。
【００５２】
図１から図３における解決法において、上部セクション１５０ａまたは１５０ｂとの連通部分と、下部セクション１５２ａまたは１５２ｂとの連通部分の間で中間チャンバには隔てるものがない。コイルへの入口において、上部セクション１５０ａ、１５０ｂに液体を取り込むスロープ状の傾斜路３９ａ、３９ｂが認められる。逆止弁３１ａ、３１ｂはその高さにある。
【００５３】
頂部の逆止弁２９ａ、２９ｂをさほど重要でないものにするために、各々の側部タンクの下部セクション１５２ａ、１５２ｂが、流れ口の下に配置され、液体が中間チャンバ１７に向けてこの下部セクションを出て行くのと同時にこの液体を対応する連通部分２５ａまたは２５ｂに向かって誘導するディフューザ３３を含むことが特定される場合がある。
【００５４】
上記において、中間チャンバ１７は、閉鎖された箱（側部タンクの上部および下部セクション１５０ａ、１５０ｂ、１５２ａ、１５２ｂに関するその連通部分２３、２３ｂ、２５ａ、２５ｂを除いて）であり、内部が分かれていない。加えて、「ＦＬＵＭＥ」解決法に関して特定したのと異なり、作業液体の自由な循環を阻止するようないかなる障害物も使用しないことが推奨される。
【００５５】
しかしながら液体流れを一方向に向け、構造体１が傾斜する際に反対方向に向けるために、中間チャンバ１７における第１のタービン１１ａと第２のタービン１１ｂの間で中間仕切りを使用することは有益であり得る。仕切り３５はこのとき、タービンの間で液体を循環させるために中間チャンバを第１の管３７ａと、第２の管３７ｂに分割する。
【００５６】
各々の側部タンクはこのとき、
−  その上部セクションにおいて、関連する側部タンク１５ｂ内への液体の入口用にタンクの側壁１９を通る第１の通路（２３ａまたは他方のタンク１５ｂの場合２３ｂ）を有し、および
−  その下部セクションにおいて、タンクからの前記液体の出口用にタンクの同一の側壁を通る第２の通路２５ａまたは２５ｂを有する２つの管３７ａ、３７ｂと連通する。
【００５７】
中間の仕切り３５は（図８に示されるように）、流れを一方向または別の方向に助長することがないように、長手方向でここでは中央において中間チャンバの軸１７ａに対して平行である場合、あるいは流速を上げたり減速させたりするように平行でない場合もある。しかしながらこれは特定の状況においては有益な場合もある。図９は、中間の仕切り３５が傾いており、上部セクション１５０ａ、１５０ｂへの入口に向かう流れ口を両方向に形成するように配向されていることを示す。下部セクション２５ａ、２５ｂから上部の入口２３ａ、２３ｂに向かって集束する部分が存在する。
【００５８】
浮動構造体１が振動する際の流体流れをさらに誘導するために、
−  第１の側部タンク１５ａの壁を通る第１の通路２３ａは、第１の管３７ａのみと連通し、この同一の第１の側部タンクの壁を通る第２の通路２５ａは、第２の管３７ｂのみと連通し、かつ
−  第２の側部タンク１５ｂの壁を通る第１の通路２３ｂは、第２の管３７ｂのみと連通するのに対して、この同一の第２の側部タンクの壁を通る第２の通路２５ｂは、第１の管３７ａのみと連通することをさらに推奨することもできる。
【００５９】
別個の仕切りがある場合とない場合のどちらの解決法を選んでも、中間チャンバ１７は、ここでは構造体の方向５である長手方向に対して横向きの共通の方向に伸張されることが特定される場合がある。そのサイズは、上記に挙げた装置における流体循環の頻度が勾配によって瞬間的に影響を受ける場合、それが垂直方向である場合よりも制限されることになり、船の操舵に対するリスクが全くない状態でこのとき横揺れを管理することができる。構造体が水に浸っており進捗率が全くない状態の場合、中間チャンバは、勾配からエネルギーを回収するために構造体の軸上にある場合もある。
【００６０】
すでに述べたように、上記に挙げた特徴の全てまたは一部は、一方の縁部から他方の縁部までの少なくとも１つの往復する傾斜運動を受ける浮動構造体１において、前記縁部７ａ、７ｂそれぞれにおいて互いに面するように好ましくは位置決めされた第１および第２のタービン１１ａ、１１ｂに交互に供給するための、中間チャンバ１７（または図５および図６の１７０ａ、１７０ｂなどの複数の部分を有するチャンバ）内での液体の循環を通して、電気エネルギーを生成することを可能にする。このようなタービン１１ａ、１１ｂは、中間チャンバ（これは複数あることも考慮する）の伸長方向（図５の軸１７ａ、または１７ａ１、１７ｂ１それぞれ）に沿って好ましくは配置された（したがって中央に配置された）入口チャネル２３ａ、２３ｂによって供給される。
【００６１】
この空間１７において、液体は、構造体を制御するためにこの運動からの特定の位相オフセットにおいて循環することができる。しかしながら例えばＭ−ＳＩＲＥの場合、船の横揺れを伴う位相内での運動が特定される。この場合、装置３は、船の運動を減衰する効力を持たず、さらには増幅する作用すら持つが、これは船のサイズと比べて装置３の寸法が小さい場合は危険ではない。
【００６２】
図１、図２、図３、図５は任意選択であり、この場合対応する側部タンク１５ａ、１５ｂを外部から区切る各々の壁１９は、対応するタービン１１ａ、１１ｂの周りにコイル状に巻き付けられる。上部セクション１５０ａ、１５０ｂへの接線方向の入口２３ａ、２３ｂは故に、少なくとも壁１９の一部分が円形断面の円柱の部分に到達するまで幅が狭くなる。先に述べたように、作業流体は接線方向に到達し、その後関連するタービンの軸１５１ａ、１５１ｂに対して半径方向に中心へと誘導され、下部セクション１５２ａまたは１５２ｂに軸方向に下から出現する。中間の仕切りがない場合または二重チャンバ（図５、図６）の場合、２つの渦巻きは、軸対称（図１、図２、図３の例では船の長手方向軸）に位置決めされる。
【００６３】
図４において、付加的な流体回路が設けられ、以下のように機能する。これらのタンク内の作業液体の高さ４２より上の側部タンクの上部セクション１５０ａ、１５０ｂにおけるガス状流体（例えば空気）の体積は、それらの間にある管４３を介して中間チャンバ１７に沿って連通し、この管は、仕切り４４によって中間チャンバから隔てられている。傾斜する際、側部タンクの一方（例えば１５ａ）は下降し、（この例では弁３１ｂ、２９ａの自然な開放を通して）作業液体によって満たされ、上部セクション１５０ａにおける液体高さの上昇が、ガス状流体を圧縮し、ガス状流体が上昇し、管を通って流出する（矢印４０）。この流体はその後、他方の上部セクション１５０ｂに到達し、そこでそれはこのセクションにおいて高さ４２を下に下げるように機能する。これを先の提案の全てと併せて利用して、側部タンクおよび中間チャンバ内に自由面を提供することができる。
【００６４】
さらに図５および図６は、各々のチャンバまたはチャネル１７０ａ、１７０ｂが好ましくは、関連する下部セクションから反対側の側部タンクの上部高さ（セクション）に向かって末広がりの断面を形成するのを示す。
【００６５】
したがって作業流体を第１および第２のタービン１１ａ、１１ｂに向けて循環させることができ、タービンは、関連する中間チャンバから２３ａの場合伸長方向１７ａ１、２３ｂの場合伸長方向１７ｂ１に沿ってそれぞれ配置された入口チャネル２３ａ、２３ｂによって供給される。
【００６６】
これはまた、図１０および図１１に示される選択肢におけるケースでもあり、これらの図面は、側部タンク１５ａ、１５ｂが上部セクションと下部セクションの間に横向きの分割部分を持たず、これらのセクションがもはや存在しない状況を例示している。これは側部シャッターを有する標準的な安定化システムをすでに装備した構造体を適用し易くすることができる。
【００６７】
これは前記シャッターをベンチュリで置き換えた標準的な「Ｆｌｕｍｅ」安定装置の１つの適用形態である。
【００６８】
したがって中間チャンバ１７の両側において、その伸長方向１７ａに平行にして側部タンク１５ａ、１５ｂの入口にベンチュリ４１ａ、４１ｂが存在する。装置が水平方向にある（静止している）と仮定すると、各々のベンチュリは、２つの凸面の壁４３ａ、４３ｂ、４３ｃ、４３ｄによって各々形成された集束と広がりの垂直部分によって画定される。２つのタービン１１ａ、１１ｂはそれぞれ、各々が側部タンクの一方の位置において垂直方向１１０ａ、１１０ｂに設置される。
【００６９】
タービンは好ましくは、流れの方向（矢印を参照）に関係なく、同一方向に常に回転するサボニウスタービンであるべきである。
【００７０】
各々のタービンのブレード４５は、示されるように、液体の流れに面して、片面が凹面であり他方の面が凸面である。各々のタービンに関して、それらはその回転軸１１０ａまたは１１０ｂの周りに巻き付けられる。
【００７１】
循環する液体（幅広の矢印）は横方向に到達する。
【００７２】
各々のタービン１１ａ、１１ｂは好ましくは、最大のいかなる加速も形成するために、示されるようにベンチュリのネックに位置決めされる。
【００７３】
その作動は、
−  各々の側部タンク１５ａ、１５ｂの入口において、液体が前記伸長方向１７ａに平行してベンチュリを通過し、
−  片側から他方側に傾斜する際、液体は、タービン１１ａ、１１ｂを通って伸長方向に、その後反対方向にベンチュリ４１ａ、４１ｂを通過することを含む。
【００７４】
図１２および図１３は、わずかに異なるエネルギー回復モジュールを装備した安定化させる側部タンク１５ｂの作動を示す。
【００７５】
このモジュールの原理は、エネルギーの回収に関連する全ての機能を統合することであり、これはモジュールが中に配置される安定装置の機能から独立している。
【００７６】
モジュールは以下の要素
−  全ての構成要素を支える金属構造体１５５と、
−  ここでは噴射入口２３ｂの右側に、モジュールの噴射器のシリンダ４９内に位置決めされた可撓性の非戻り噴射弁４７であって、このシリンダはタービン内で円を描く流れの非対称な分散を確立するために、矢印によって表される噴射行動を最適化するように設計されている、可撓性の非戻り噴射弁４７と、
−  ここでは関連する側部タンク１５０ｂの上部セクション内にそのシャフトと軸受５０を有するようにここでは位置決めされた金属タービン１１ｂと、
−  回転速度増幅機能を備えた、タービンからここでは発電機１３ｂまでの移動の伝達装置と、
−  発電機およびその軸、水密の軸受５２、電力管理キャビネット５３ならびに場合によって中に立ち入るためのアクセスドア５５を収容する水密の区画５１と、
−  関連する側部タンクの上部セクションと下部セクションの間の通路の高さにおいて中心にある隔壁５７とを備える。
【符号の説明】
【００７７】
１  船
３  装置
７ａ  第１の縁部
７ｂ  第２の縁部
９  船体
１１  船橋
１１ａ  第１のタービン
１１ｂ  第２のタービン
１３ａ、１３ｂ  交流発電機
１５ａ  第１の側部タンク
１５ｂ  第２の側部タンク
１７  中間チャンバ
１７ａ、１７ａ１、１７ｂ１  伸長方向
１８  液体
１９  周辺壁
２１ａ、２１ｂ  流れ口
２３ａ、２３ｂ  連通部分
２５ａ、２５ｂ  連通部分
２９ａ、２９ｂ  逆止弁
３１ａ、３１ｂ  逆止弁
３３  ディフューザ
３５  中間の仕切り
３７ａ、３７ｂ  第１および第２の管
３８  完全な壁
３９ａ、３９ｂ  傾斜路
４０  流体流れの方向
４１ａ、４１ｂ  ベンチュリ
４２  流体高さ
４３ａ、４３ｂ、４３ｃ、４３ｄ  凸面の壁
４４  仕切り
４５  ブレード
４７  噴射弁
４９  シリンダ
５０  軸受
５１  水密の区画
５２  水密の軸受
５３  電力管理キャビネット
５５  アクセスドア
５７  隔壁
１１０ａ、１１０ｂ  垂直軸
１５０ａ、１５０ｂ  上部セクション
１５１ａ、１５１ｂ  タービンの軸
１５２ａ、１５２ｂ  下部セクション
１５５  金属構造体
１７１  底面
１７３  水平軸
１７７  側壁
１９１  境界を成す部分
２１０ａ  変形可能な隔壁
【図１】
0006752208.tif 000002
【図２】
0006752208.tif 000003
【図３】
0006752208.tif 000004
【図４】
0006752208.tif 000005
【図５】
0006752208.tif 000006
【図６】
0006752208.tif 000007
【図７】
0006752208.tif 000008
【図８】
0006752208.tif 000009
【図９】
0006752208.tif 000010
【図１０】
0006752208.tif 000011
【図１１】
0006752208.tif 000012
【図１２】
0006752208.tif 000013
【図１３】
0006752208.tif 000014